(57)【特許請求の範囲】
【請求項１】
封筒本体部と、
前記封筒本体部の所定領域に切り取り予定線で区画されて形成された配達伝票部と、
前記配達伝票部に裏打ちされて形成され、その配達伝票部を補強する補強部と、
前記封筒本体部に設けられ、開封後再生不可能な開封予定線で形成された開封部と、
を備え、
前記補強部は、前記配送伝票部の上紙側裏面に形成された第１の接着剤部と、前記第１の接着剤部上に形成され前記配送伝票部を裏打ちして補強する補強紙とを有し、
前記封筒本体部は、上紙側端部に延長して形成された封緘部と、前記封緘部を下紙側に接着する第２の接着剤部と、前記第２の接着剤部を保護するセパ紙とを有し、
前記開封予定線は、
開封方向に対して斜めに切れ込まれて、開封開始部が１方向に引っ張られると、開封するにしたがって開封部分の横断長が長く、前記開封開始部分を頂点とする三角形状の開口となるように形成した第１の開封予定線からなる集合と、
前記第１の開封予定線に連続して形成され、開封方向に沿って設けられた切れ込みからなり、前記三角形状とつながる四角形状の開口となるように形成した第２の開封予定線からなる集合によって形成されていること、
を特徴とする配送伝票付き封筒。
【発明の詳細な説明】
【０００１】
【発明の属する技術分野】
本発明は、貴重品の配送等に好適に使用することができる配送伝票付き封筒に関するものである。
【０００２】
【従来の技術】
従来より、運送会社において、クレジットカード会社等の「カード入り封筒」を配送する場合は、セキュリティ管理上の理由により、ビニールケースに入れて配送中継拠点（着店）まで送ることが多い。すなわち、「カード入り封筒」を、配送先の配送中継拠点ごとにまとめてビニールケースに入れ、このビニールケースに配送伝票を添付して、送付する。配送中継拠点では、受け取ったビニールケースから「カード入り封筒」を取り出して、ビニールケースは、折り畳んでカード発送所に返却する。このように、ビニールケースは、何度も繰り返して「カード入り封筒」の配送に使用されている。
【０００３】
【発明が解決しようとする課題】
しかし、配送中継拠点によっては、配送される「カード入り封筒」が、１〜２通しかない場合もある。また、急に、大量の「カード入り封筒」を配送しなければならない場合もある。さらに、ビニールケースの回収が間に合わない場合もある。
そのような場合に、新たなビニールケースを購入するのは、コストがかかる。
また、ビニールケースの回収作業も、非常に労力がかかるものであった。
【０００４】
本発明の課題は、安価で、使い捨て使用に適する配送伝票付き封筒を提供することである。
【０００５】
【課題を解決するための手段】
前記課題を解決するために、請求項１の発明は、封筒本体部と、前記封筒本体部の所定領域に切り取り予定線で区画されて形成された配達伝票部と、前記配達伝票部に裏打ちされて形成され、その配達伝票部を補強する補強部と、前記封筒本体部に設けられ、開封後再生不可能な開封予定線で形成された開封部と、を備え、前記補強部は、前記配送伝票部の上紙側裏面に形成された第１の接着剤部と、前記第１の接着剤部上に形成され前記配送伝票部を裏打ちして補強する補強紙とを有し、前記封筒本体部は、上紙側端部に延長して形成された封緘部と、前記封緘部を下紙側に接着する第２の接着剤部と、前記第２の接着剤部を保護するセパ紙とを有し、前記開封予定線は、開封方向に対して斜めに切れ込まれて、開封開始部が１方向に引っ張られると、開封するにしたがって開封部分の横断長が長く、前記開封開始部分を頂点とする三角形状の開口となるように形成した第１の開封予定線からなる集合と、前記第１の開封予定線に連続して形成され、開封方向に沿って設けられた切れ込みからなり、前記三角形状とつながる四角形状の開口となるように形成した第２の開封予定線からなる集合によって形成されていること、を特徴とする配送伝票付き封筒である。
【００１３】
【発明の実施の形態】
以下、図面等を参照して、本発明の実施の形態について、さらに詳しく説明する。
（第１実施形態）
図１は、本発明による配送伝票付き封筒の第１実施形態を示す図である。図中、（Ａ）は、平面図、（Ｂ）は、（Ａ）のＢ−Ｂ断面図である。
配送伝票付き封筒１０は、封筒本体部１１と、配送伝票部１２とを備える。
【００１４】
封筒本体部１１は、カード入り封筒をまとめて入れる袋状部である。封筒本体部１１は、紙製であり、例えば、上質紙などで好適に作製することができる。
封筒本体部１１は、封緘部１１ａに、粘着剤部１１ｂと、セパ紙１１ｃとを備える。
粘着剤部１１ｂは、封緘部１１ａを封筒本体部１１に接着して、密封する接着部である。粘着剤部１１ｂは、アクリル系接着剤、天然ゴム系接着剤、合成ゴム系接着剤又はシリコーンゴム系接着剤などで形成することができる。
セパ紙１１ｃは、粘着剤部１１ｂを保護する部分である。セパ紙１１ｃは、紙基材の上面、すなわち、粘着剤部１１ｂ側の面に、シリコーン系離型剤などによる剥離処理がなされている。
【００１５】
配送伝票部１２は、封筒本体部１１の所定領域に、切り取り予定線１２ａで囲まれて形成された部分であり、切り取られて配送伝票として使用される。配送伝票部１２は、「伝票Ｎｏ．」と、配送管理を行うための「バーコード」が表示されており、さらに、「配送中継拠点コード」、「日付」、「封入数量」等の記入欄が設けられている。
切り取り予定線１２ａは、例えば、ミシン目などで、形成されており、配送伝票部１２の切り取りを容易にする。
【００１６】
（使用方法）
配送伝票付き封筒１０は、以下のように使用する。
（１）発送者は、カード入り封筒を、配送目的地である配送中継拠点ごとにまとめ、配送伝票付き封筒１０に入れ、中継配送員に、引き渡す。その際、発送者は、配送伝票部１２の記入欄に、「配送中継拠点コード」、「日付」、「封入数量」等の必要事項を書き込んでおく。
【００１７】
（２）（１）において配送伝票付き封筒１０を受け取った中継配送員は、配送伝票部１２に記入されている「配送中継拠点コード」に基づいて、配送伝票付き封筒１０を配送中継拠点に配送する。
【００１８】
（３）（２）において配送伝票付き封筒１０を受け取った配送中継拠点員は、配送伝票付き封筒１０を開封して、中に封緘されているカード入り封筒を取り出し、配送伝票部１２に記入されている「封入数量」と合致するか否かを確認した後、取り出したカード入り封筒を宅配員に引き渡す。
また、配送中継拠点員は、配送伝票付き封筒１０から配送伝票部１２を切り取って、バーコードの管理データを読み取るとともに、その配送伝票部１２を切り取った配送伝票付き封筒１０を廃棄する。
【００１９】
（４）（３）においてカード入り封筒を受け取った宅配員は、そのカード入り封筒を、目的の客先に配達する。
【００２０】
本実施形態によれば、配送伝票付き封筒１０は、封筒本体部１１の所定領域に切り取り予定線１２ａで区画されて形成された配達伝票部１２を備えるので、配達伝票の貼り付け作業が不要であり、通常の配達伝票を貼付する際に発生するゴミ（剥離紙）をなくすことができる。
また、配送伝票付き封筒１０は、紙製であるので、安価に製造することができ、また、簡単に廃棄することができる。そのため、使い捨て品として好適に使用可能であり、従来のビニールケースのときに必要であった回収作業が不要となる。
【００２１】
（第２実施形態）
図２は、本発明による配送伝票付き封筒の第２実施形態を示す図である。図中、（Ａ）は、平面図、（Ｂ）は、（Ａ）のＢ−Ｂ断面図、（Ｃ）は、（Ａ）のＣ部拡大図、（Ｄ）は、（Ａ）のＤ部拡大図である。
なお、以下に示す各実施形態では、前述した第１実施形態と同様の機能を果たす部分には、同一の符号を付して、重複する説明を適宜省略する。
配送伝票付き封筒１０は、封筒本体部１１と、封筒本体部１１の開封を簡単にする開封部１３と、開封部１３に形成され切り取り容易な配送伝票部１２とを有する。
【００２２】
開封部１３は、配送伝票付き封筒１０を受け取った配送中継拠点員が、カード入り封筒を取り出す際に封筒本体部１１を開封する部分である。開封部１３は、セキュリティ管理上、一旦、開封されたら、再生不可能に作製されている。開封部１３は、中身の取り出し漏れを防止するために、できるだけ大きく開口することが望ましく、また、指でつまんで開封することができるように、開封開始部分１３ａは、小形の方が望ましい。そのため、開封部１３は、図２（Ａ）に示すように、開封開始部分１３ａを頂点とする三角形状をしている。
【００２３】
開封部１３は、開封開始部分１３ａでつままれて、図中、左方向に引っ張られて、開封される。この開封時に、きれいに開封できるように、開封部１３は、開封方向に対して斜めに切れ込まれて形成された不連続直線（図２（Ｃ）参照）及び開封方向に沿って設けられたＶ字状の切れ込み（図２（Ｄ）参照）によって形成された開封予定線１３ｂを有する。
【００２４】
すなわち、仮に、いかなる開封予定線も設けられていなければ、開封時に加えられた力によって、封筒本体部１１は、開封開始部分１３ａが引っ張られる方向（図中、左方向）に、真っ直ぐに、引き裂かれることになる。
【００２５】
したがって、開封予定線が、通常用いられるような１本の直線的なミシン目で形成されていたのでは、何らかの原因、例えば、封筒本体部１１に使用される紙の繊維の粗密等によって、ミシン目での切り離しがうまくいかなかった場合に、開封時に開封開始部分１３ａを左方向に引っ張る力によって、開封予定線１３ｂとは無関係に、図中、左方向に封筒本体部１１が引き裂かれることになる。一旦、封筒本体部１１が引き裂かれ始めると、その後は、開封予定線１３ｂとは関係なく、封筒本体部１１が引き裂かれることになり、うまく開封することができない。
【００２６】
そこで、開封予定線を、本実施形態のように、開封方向に対して、外側に鋭角を形成するように、斜めに切れ込んだ不連続直線の集合によって形成しておくことで、開封時に加えられた力は、図２（Ｃ）中、斜め上側に進み、右側の不連続直線１３ｃの上端部１３ｄまで達した後、開封開始部分１３ａが引っ張られる方向（図中、左方向）に進み、その不連続直線１３ｃの左側に設けられた不連続直線１３ｅまで、封筒本体部１１を引き裂く。その繰り返しによって、順次、不連続直線伝いに封筒本体部１１を引き裂いて、開封予定線１３ｂで開封されることとなる。
また、図２（Ｄ）に示すように、開封予定線１３ｂは、Ｖ字状の切れ込みによって形成されているが、このＶ字切れ込みは、通常のミシン目に比べて、図２（Ｃ）の部分と同様に、確実に開封することができる。
【００２７】
配送伝票部１２は、開封部１３に形成されている。したがって、配送伝票部１２は、開封部１３の開封後に切り取ることで、容易に、切り取ることができる。
【００２８】
本実施形態によれば、開封部１３が形成されているので、封筒本体部１１を簡単に開封することができる。
また、配送伝票部１２は、開封部１３に形成されているので、開封後に切り取ることで、容易に、切り取ることができる。
【００２９】
（第３実施形態）
図３は、本発明による配送伝票付き封筒の第３実施形態を示す断面図である。配送伝票付き封筒１０は、封筒本体部１１と、封筒本体部１１と別体に形成された配送伝票部１２とを備える。
封筒本体部１１は、所定領域に、配送伝票部１２を接着するための接着剤層１１ｄを有する。
接着剤層１１ｄは、ウレタン系接着剤、アクリル系接着剤、天然ゴム系接着剤、合成ゴム系接着剤又はシリコーンゴム系接着剤などを塗布して形成することができる。接着剤層１１ｄの塗布量・塗布厚は、特に限定されないが、好ましくは、塗布量は０．１〜５０ｇ／ｍ2 であり、塗布厚は０．１〜５０μｍである。
【００３０】
配送伝票部１２は、封筒本体部１１と別体に形成された独立した票部であり、下面、すなわち、接着剤層１１ｄ側の面に、剥離層１２ｂを有する。
剥離層１２ｂは、その材料として、接着性の低い樹脂を使用することが望ましく、例えば、ポリエチレン，ポリプロピレン，ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂およびこれらの混合物からなるフィルムを使用してもよい。また、ポリウレタン等の熱硬化性樹脂等から形成されたフィルムを用いてもよい。さらに、所望に応じて、酸化防止剤、熱安定剤、紫外線吸収剤、スリップ剤、帯電防止剤、防曇剤、着色剤、フィラー等が添加されていてもよい。
剥離層１２ｂの塗布量・塗布厚は特に限定されないが、好ましくは、塗布量は０．１〜１０ｇ／ｍ2 であり、塗布厚は０．１〜１０μｍである。
【００３１】
本実施形態によれば、配送伝票部１２は、封筒本体部１１と別体に形成された独立した票部であるので、容易に、かつ、きれいに剥がすことができる。
【００３２】
（第４実施形態）
図４は、本発明による配送伝票付き封筒の第４実施形態を示す断面図である。配送伝票付き封筒１０は、封筒本体部１１と、封筒本体部１１の一部に形成された配送伝票部１２と、配送伝票部１２を裏打ちして補強する補強紙１４とを備える。
配送伝票部１２は、封筒本体部１１の所定領域に、切り取り予定線１２ａで囲まれて形成された部分であり、抜き取られて配送伝票として使用される。配送伝票部１２は、下面、すなわち、補強紙１４側の面に、剥離層１２ｂを有するので、補強紙１４から剥離可能である。
切り取り予定線１２ａは、例えば、ハーフカットされて形成されており、配送伝票部１２の抜き取りを容易にする。
【００３３】
補強紙１４は、配送伝票部１２を裏打ちして補強する用紙部であり、封筒本体部１１の中側に形成されている。補強紙１４は、上面、すなわち、配送伝票部１２側の面に、接着剤層１４ａを有する。この接着剤層１４ａは、上述の第１実施形態の接着剤層１１ｄと同様の接着剤層であり、ウレタン系接着剤、アクリル系接着剤、天然ゴム系接着剤、合成ゴム系接着剤又はシリコーンゴム系接着剤などが塗布されて形成されている。
【００３４】
本実施形態によれば、配送伝票部１２は、封筒本体部１１の一部に形成されており、外部への突き出し部分がないので、配送途中に引っかかって剥がれ落ちることがない。
また、配送伝票部１２は、周囲がハーフカットされているので、容易に、かつ、きれいに剥がすことができる。
【００３５】
（変形形態）
以上説明した実施形態に限定されることなく、種々の変形や変更が可能であって、それらも本発明の均等の範囲内である。
例えば、開放部は、配送伝票部と同一面に形成されていても、異なる面に形成されていてもよい。
また、第３実施形態や、第４実施形態において、開放部を備えていてもよく、自由に組み合わせることができる。
【００３６】
【発明の効果】
以上詳しく説明したように、請求項１の発明によれば、封筒本体部の所定領域に切り取り予定線で区画されて形成された配達伝票部を備えるので、配達伝票を貼り付ける必要がない。
【００３７】
請求項２の発明によれば、配送伝票部は、封筒本体部の所定領域の表面に分離可能に貼付されているので、容易に、かつ、きれいに剥がすことができる。
【００３８】
請求項３の発明によれば、配達伝票部は、封筒本体部の所定領域に切り取り予定線で区画されて形成されているので、外部への突き出し部分がない。
また、補強部が配達伝票部に裏打ちされているので、丈夫である。
【００３９】
請求項４の発明によれば、開封部を封筒本体部に備えるので、簡単に開封することができる。
【００４０】
請求項５の発明によれば、配送伝票部は、開封部に形成されているので、容易に、切り取ることができる。
【００４１】
請求項６の発明によれば、開封部は、三角形状であるので、指でつまんで開封することができ、その開口面積も広い。
【００４２】
請求項７の発明によれば、開封予定線は、開封方向に対して、斜めに切れ込まれて形成されているので、引っ張られる力に対して、きれいに開封することができる。
【００４３】
請求項８の発明によれば、開封予定線は、開封方向に沿って設けられたＶ字状の切れ込みによって形成されているので、丈夫であり、なおかつ、引っ張られる力に対して、きれいに開封することができる。
【図面の簡単な説明】
【図１】本発明による配送伝票付き封筒の第１実施形態を示す図である。
【図２】本発明による配送伝票付き封筒の第２実施形態を示す図である。
【図３】本発明による配送伝票付き封筒の第３実施形態を示す断面図である。
【図４】本発明による配送伝票付き封筒の第４実施形態を示す断面図である。
【符号の説明】
１０  配送伝票付き封筒
１１  封筒本体部
１１ａ  封緘部
１１ｂ  粘着剤部
１１ｃ  セパ紙
１１ｄ  接着剤層
１２  配送伝票部
１２ａ  切り取り予定線
１２ｂ  剥離層
１３  開封部
１３ａ  開封開始部分
１３ｂ  開封予定線
１４  補強紙
１４ａ  接着剤層
【図１】
0004476389.tif 000002
【図２】
0004476389.tif 000003
【図３】
0004476389.tif 000004
【図４】
0004476389.tif 000005